(57)【特許請求の範囲】
【請求項１】
情報送信装置と、情報受信装置とによって構築される情報提供システムであって、
上記情報送信装置は、
放送番組又は放送番組シーンに関する情報へのアクセス先を示す複数種類のアクセス情報を入力可能な項目を提示する提示手段と、
上記項目に入力されるアクセス情報を、番組ガイド情報の対応する放送番組又は放送番組シーンに関連付けて配信する配信手段と
を有し、
上記情報受信装置は、
ユーザに対して、取得希望のアクセス情報が関連付けられている放送番組又は放送番組シーンを選択させる選択手段と、
上記選択手段により選択される放送番組又は放送番組シーンに関連付けられるアクセス情報を扱い可能な装置を示すコードを、ユーザによって登録された装置を示すコードとして生成するコード生成手段と、
上記コード生成により生成されるコードと、上記選択手段により選択される放送番組又は放送番組シーンに関連付けられる複数種類のアクセス情報とをリムーバブルメディアに記憶させる記憶制御手段と
を有する情報提供システム。
【請求項２】
上記選択手段は、
スロットにリムーバブルメディアが装着されていることを条件として、視聴対象の放送番組又は放送番組シーンに関連付けられるアクセス情報を選択させる
請求項１に記載の情報提供システム。
【請求項３】
上記配信手段は、
上記番組ガイドをＸＭＬ(eXtensible Markup Language)で作成する
ことを特徴とする請求項１に記載の情報提供システム。
【請求項４】
放送番組又は放送番組シーンに関する情報へのアクセス先を示す複数種類のアクセス情報が対応する放送番組又は放送番組シーンに関連付けられている番組ガイドを受信する受信手段と、
ユーザに対して、取得希望のアクセス情報が関連付けられている放送番組又は放送番組シーンを選択させる選択手段と、
上記選択手段により選択される放送番組又は放送番組シーンに関連付けられるアクセス情報を扱い可能な装置を示すコードを、ユーザによって登録された装置を示すコードとして生成するコード生成手段と、
上記コード生成により生成されるコードと、上記選択手段により選択される放送番組又は放送番組シーンに関連付けられる複数種類のアクセス情報とをリムーバブルメディアに記憶させる記憶制御手段と
を有する情報受信装置。
【請求項５】
上記選択手段は、
スロットにリムーバブルメディアが装着されていることを条件として、視聴対象の放送番組又は放送番組シーンに関連付けられるアクセス情報を選択させる
請求項４に記載の情報受信装置。
【請求項６】
上記番組ガイドはＸＭＬ(eXtensible Markup Language)で作成される
請求項４に記載の情報受信装置。
【請求項７】
放送番組又は放送番組シーンに関する情報へのアクセス先を示す複数種類のアクセス情報が対応する放送番組又は放送番組シーンに関連付けられている番組ガイドを受信する受信ステップと、
ユーザに対して、取得希望のアクセス情報が関連付けられている放送番組又は放送番組シーンを選択させる選択ステップと、
上記選択ステップで選択される放送番組又は放送番組シーンに関連付けられるアクセス情報を扱い可能な装置を示すコードを、ユーザによって登録された装置を示すコードとして生成するコード生成ステップと、
上記コードステップで生成されるコードと、上記選択手段により選択される放送番組又は放送番組シーンに関連付けられる複数種類のアクセス情報とをリムーバブルメディアに記憶させる記憶制御ステップと
を有する情報受信方法。
【請求項８】
上記選択ステップでは、
スロットにリムーバブルメディアが装着されていることを条件として、視聴対象の放送番組又は放送番組シーンに関連付けられるアクセス情報を選択させる
請求項７に記載の情報受信方法。
【請求項９】
上記番組ガイドはＸＭＬ(eXtensible Markup Language)で作成される
請求項７に記載の情報受信方法。
【発明の詳細な説明】
【０００１】
【発明の属する技術分野】
本発明は情報提供システム、情報受信装置及びその方法に関し、例えば放送波を送受信するようになされた情報提供システム、情報受信装置及びその方法に適用して好適なものである。
【０００２】
【従来の技術】
従来、送信側の放送局は、番組やコマーシャル等の提供情報が重畳された放送波を配信し、受信側の各家庭等に設けられた受信装置（以下、これをＩＲＤ：Ｉｎｔｅｇｒａｔｅｄ  Ｒｅｃｅｉｖｅｒ  Ｄｅｃｏｄｅｒと呼ぶ）は、放送局から供給された放送波を受信し、当該放送波に重畳されている提供情報を抽出してテレビジョン装置のモニタに表示するようになされた情報提供システム（テレビジョン放送システム等）がある。
【０００３】
【発明が解決しようとする課題】
ところでかかる情報提供システムにおいて、放送局は、多くの視聴者のニーズにあった提供情報を配信するようにしているものの、視聴者個人個人にとっては、決められた数のチャンネル及び時間帯の中から、所望の番組を選択するにとどまる。
【０００４】
従って、放送局から配信される提供情報は、視聴者にとって受動的な情報となる場合が多く生じてしまう。具体例として、例えばユーザがテレビジョン放送局から提供情報として提供される料理番組を視聴しているとき、当該番組の出演者が身につける物品の値段や売っている場所等、その物品に関する詳細な情報を知りたい場合、このときテレビジョン放送局から提供情報として提供されている料理番組には、物品に関する情報がなく、この場合ユーザは、放送局に電話する、本屋にて調べる、インターネットの検索ホームページにアクセスする等の煩雑な作業をしいられる。このためユーザは、物品に関する詳細な情報の取得を諦めたり、忘れたりすることも少なくはなく、さらには所望とする情報が得られるとも限らない。
【０００５】
このように情報提供システムにおいて、放送局は、視聴者個人個人のニーズに合わせて提供情報を選択し得る種類が少ないことにより、当該提供情報を有効に利用できないという問題があった。
【０００６】
またかかる問題点を解決すれば、放送局は、一段と多くの情報を提供し得ることになり、これにより視聴者は、放送局から供給される提供情報を意欲的に視聴することになる。その結果、視聴者は、放送局から供給される提供情報に基づいて購入意欲を喚起した物品等を購入する機会も多くなり、もって流通経済の活発化に絶大なる効果をもたらすと考えられる。
【０００７】
本発明は以上の点を考慮してなされたもので、放送局の提供する情報を有効に利用し得る情報提供システム、情報受信装置及びその方法を提案しようとするものである。
【０００８】
【課題を解決するための手段】
かかる課題を解決するため本発明は、情報送信側では、放送番組又は放送番組シーンに関する情報へのアクセス先を示す複数種類のアクセス情報を入力可能な項目を提示し、該項目に入力されるアクセス情報を、番組ガイド情報の対応する放送番組又は放送番組シーンに関連付けて配信する。一方、情報受信側では、ユーザに対して、取得希望のアクセス情報が関連付けられている放送番組又は放送番組シーンを選択させ、選択される放送番組又は放送番組シーンに関連付けられるアクセス情報を扱い可能な装置を示すコードを、ユーザによって登録された装置を示すコードとして生成し、当該コードと、複数種類のアクセス情報とをリムーバブルメディアに記憶させる。
【０００９】
【発明の実施の形態】
以下図面について、本発明の一実施の形態を詳述する。
【００１０】
（１）情報提供システム
図１において１は全体として情報提供システムを示し、テレビジョン放送局やラジオ放送局等の放送局２は放送波を配信するようになされており、各家庭又は会社等、種々の環境に設置されている受信装置（以下、これをＩＲＤ：Ｉｎｔｅｇｒａｔｅｄ  Ｒｅｃｅｉｖｅｒ  Ｄｅｃｏｄｅｒと呼ぶ）３は、当該放送局２から配信された放送波を受信するようになされている。
【００１１】
ＩＲＤ３には、ＩＣ（Ｉｎｔｅｇｒａｔｅｄ  Ｃｉｒｃｕｉｔ）メモリを内蔵したスティック状の携帯型記録媒体（以下、これをリムーバブルメディアと呼ぶ）５を装着するスロット（図示せず）が設けられており、ユーザは必要に応じてＩＲＤ３に対してユーザが個々に所有するリムーバブルメディア５を装着するようになされている。
【００１２】
放送局２は、情報提供広告主４から提供される付加情報である付加情報を放送波に重畳させて配信するようになされており、リムーバブルメディア５が装着されたＩＲＤ３は、当該放送局２から配信された放送波を受信し、受信した放送波から必要に応じて付加情報である付加情報を抽出してリムーバブルメディア５に記録するようになされている。
【００１３】
また各種端末装置（パーソナルコンピュータ６、携帯電話７、ＰＤＡ（Ｐｅｒｓｏｎａｌ  Ｄｉｇｉｔａｌ  Ａｓｓｉｓｔａｎｔｓ）８及びナビゲーション装置９等）にもリムーバブルメディア５を装着するスロット（図示せず）が設けられており、ユーザはこれらの端末装置を使用する際に、当該操作する端末に対して付加情報である付加情報が記録されているリムーバブルメディア５を装着するようになされている。
【００１４】
ここでユーザが各端末装置のいづれかに付加情報である付加情報が記録されているリムーバブルメディア５を装着すると、当該リムーバブルメディア５が装着された端末装置は、記録されている付加情報に基づいてそのとき装着された端末機器の特徴に応じた処理を行って、ユーザに対して種々の情報を提供するようになされている。
【００１５】
このようにユーザは、付加情報である付加情報を記録したリムーバブルメディア５を所持し、希望する時間、又は希望する場所で各端末装置を利用して種々の情報を入手し得るようになされている。
【００１６】
（２）情報提供システム例
図２は全体として、かかる情報提供システムのシステム例を示し、テレビジョン放送局１０は必要に応じてテレビジョン番組を作成するようになされており、当該作成したテレビジョン番組の音声信号Ｓ１０及び映像信号Ｓ１１を送信装置１５に出力するようになされている。
【００１７】
この送信装置１５には、図３に示すように、テレビジョン放送局１０において作成されたテレビジョン番組の音声信号Ｓ１０及び映像信号Ｓ１１が入力される。このとき同様にして、送信装置１５には、他に作成された複数のテレビジョン番組のうち、所定数のテレビジョン番組の音声信号Ｓ１２１〜Ｓ１２ｎ及び映像信号Ｓ１３１〜Ｓ１３ｎも入力される。
【００１８】
送信装置１５は、それぞれ入力された音声信号Ｓ１０及びＳ１２１〜Ｓ１２ｎを音声エンコーダ２１に出力すると共に、映像信号Ｓ１１及びＳ１３１〜Ｓ１３ｎを映像エンコーダ２２に出力する。
【００１９】
音声エンコーダ２１は音声信号Ｓ１０及びＳ１２１〜Ｓ１２ｎをそれぞれＭＰＥＧ（Ｍｏｖｉｎｇ  Ｐｉｃｔｕｒｅ  Ｅｘｐｅｒｔｓ  Ｇｒｏｕｐ）規格に基づく符号化方式によって圧縮符号化し、その結果得られた音声符号化データＤ１４及びＤ１５１〜Ｄ１５ｎをそれぞれマルチプレクサ（ＭＵＸ）２３に出力する。
【００２０】
一方、映像エンコーダ２２は映像信号Ｓ１１及びＳ１３１〜Ｓ１３ｎをそれぞれＭＰＥＧ（Ｍｏｖｉｎｇ  Ｐｉｃｔｕｒｅ  Ｅｘｐｅｒｔｓ  Ｇｒｏｕｐ）規格に基づく符号化方式によって圧縮符号化し、その結果得られた映像符号化データＤ１６及びＤ１７１〜Ｄ１７ｎをそれぞれマルチプレクサ２３に出力する。
【００２１】
マルチプレクサ２３は、これら符号化データＤ１４、Ｄ１５１〜Ｄ１５ｎ、Ｄ１６及びＤ１７１〜Ｄ１７ｎに対して時分割多重化処理を施すことによりビットストリームを生成し、当該ビットストリームにスクランブルをかけ、その結果得られた多重化データＤ１８を変調部２４に出力する。
【００２２】
変調部２４は、多重化データＤ１８に対してＱＰＳＫ（ＱｕａｄｒａｔｕｒｅＰｈａｓｅ  Ｓｈｉｆｔ  Ｋｅｙｉｎｇ）変調方式に基づいてディジタル変調処理を施し、その結果得た送信信号Ｓ２０をパラボナアンテナ２６に供給する。
【００２３】
これによりパラボナアンテナ２６からの送信信号Ｓ２０に応じた電波が通信衛星（図示せず）に向けて発射され、当該通信衛星に設けられているトランスポンダ（図示せず）を介してトランスポンダ数に応じた伝送チャンネルで各環境に設置されているＩＲＤ３（図２）に放送波として配信される。
【００２４】
ＩＲＤ３（図２）は、図４に示すように、リモートコントローラ２９から赤外線に重畳されて送信される種々の命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ（Ｃｅｎｔｒａｌ  Ｐｒｏｃｅｓｓｉｎｇ  Ｕｎｉｔ）３６に送出する。
【００２５】
これによりＣＰＵ３６は、ＲＯＭ（Ｒｅｅｄ  Ｏｎｌｙ  Ｍｅｍｏｒｙ）３８に格納されている制御プログラムを必要に応じて読み出し、この読み出した制御プログラムをＲＡＭ（Ｒａｎｄｏｍ  Ａｃｃｅｓｓ  Ｍｅｍｏｒｙ）３９上に展開することにより種々の処理を実行するようになされており、当該処理に応じてＩＲＤ３の各回路部を制御するようになされている。
【００２６】
ここでユーザがリモートコントローラ２９によって所定の選局操作を行うと、リモートコントローラ２９は当該操作に応じた命令信号Ｓ１を生成し、当該生成した命令信号Ｓ１を赤外線に重畳してＩＲＤ３に送信する。
【００２７】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【００２８】
これによりＣＰＵ３６はフロントエンド３０を制御し、フロントエンド３０は、受信アンテナ（図示せず）によって受信した放送波の中からチャンネル選択信号Ｓ３に応じたチャンネル（放送局）の放送波を抽出し、当該抽出したチャンネルの放送波を復調することにより多重化データＤ２１を生成し、これをデマルチプレクサ３１に送出する。
【００２９】
デマルチプレクサ３１は、多重化データＤ２１を一旦バッファ（図示せず）に記憶させ、当該記憶させた多重化データＤ２１を、予めＩＲＤ３が所有するデスクランブル用の鍵データを用いて送信装置（図２）で施されたスクランブルを解除した後、これを適宜に読み出すことにより、所望の音声符号化データＤ２２及び映像符号化データＤ２３（ユーザによって選局されたチャンネルに該当するデータ）を抽出する。
【００３０】
さらにデマルチプレクサ３１は、抽出した音声符号化データＤ２２を音声デコーダ３２に送出し、映像符号化データＤ２３を映像デコーダ３３に送出する。
【００３１】
音声デコーダ３２は、音声符号化データＤ２２を伸長復号化することにより、音声データＤ２４を生成し、これをディジタルアナログ（Ｄ／Ａ：Ｄｉｇｉｔａｌ／Ａｎａｌｏｇ）変換回路３４に送出する。
【００３２】
Ｄ／Ａ変換回路３４は、音声データＤ２４をアナログ変換することによりテレビジョン放送局１０において作成された元のテレビジョン番組の音声信号Ｓ１０（Ｓ１２１〜Ｓ１２ｎ）を復元し、これをテレビジョン装置１１（図２）に出力する。
【００３３】
一方、映像デコーダ３３は、映像符号化データＤ２３を伸長復号化することにより映像データＤ２５を生成し、これをＲＧＢエンコーダ３５に出力する。ＲＧＢエンコーダ３５は、映像データＤ２５をアナログ変換することによりテレビジョン放送局１０において作成された元のテレビジョン番組の映像信号Ｓ１１（Ｓ１３１〜Ｓ１３ｎ）を復元し、さらにはＮＴＳＣ（Ｎａｔｉｏｎａｌ  Ｔｅｌｅｖｉｓｉｏｎ  ＳｙｓｔｅｍＣｏｍｍｉｔｔｅｅ）方式の輝度信号Ｓ２６及び色差信号Ｓ２７に変換し、これらをテレビジョン装置１１のモニタ１２（図２）に出力する。
【００３４】
このようにして送信側であるテレビジョン放送局１０において作成されたテレビジョン番組は、受信側であるテレビジョン装置１１のモニタ１２（図２）の表示画面を介してユーザ（視聴者）に提供され、ユーザは当該テレビジョン番組を目視し得るようになされている。
【００３５】
ところで、情報提供システムにおいては、各放送局から提供される番組をユーザに知らせることを目的とした電子番組ガイド情報（以下、これをＥＰＧデータと呼ぶ）を定期的に生成し、当該生成したＥＰＧデータに各情報提供広告主の広告として付加情報を付加し、これを配信するようになされている。
【００３６】
このＥＰＧデータは、番組毎に生成され、「＜」と「＞」とで挟んでなるタグを用いたタグ言語であるＸＭＬ（ｅＸｔｅｎｓｉｂｌｅ  Ｍａｒｋｕｐ  Ｌａｎｇｕａｇｅ）にて記述される。
【００３７】
ＸＭＬは、文書型定義（ＤＴＤ：Ｄｏｃｕｍｅｎｔ  Ｔｙｐｅ  Ｄｅｆｉｎｉｔｉｏｎ）によって、自ら定義したタグに対して階層構造やデータ型の属性を指定し得ることにより、可変長記述が可能である。
【００３８】
すなわち、ＥＰＧデータは、図５に示すように、衛星放送や地上波放送等の各種存在する放送システムのうち、どの放送システムであるかを特定し得るように識別するためのＢｒｏｄｅｃａｓｔｅｒ−ＩＤ（ＩＤｅｎｔｉｆｉｅｒ）と、放送システムにおいて設定される各種サービス内容のうち、どのサービス内容であるかを特定し得るように識別するためのＳｅｒｖｉｃｅ−ＩＤと、各種ある番組（コマーシャルも含む）のうち、どの番組であるかを特定し得るように識別するためのＥｖｅｎｔ−ＩＤとからなる階層構造となっている。
【００３９】
さらにＥＰＧデータには、番組（Ｅｖｅｎｔ−ＩＤ）をさらに細かく種別化し、当該種別化した各種単位（番組シーン）のうち、どの単位（番組シーン）であるかを特定し得るように識別するためのＬｏｃａｌＥｖｅｎｔ−ＩＤがＥｖｅｎｔ−ＩＤよりも下位下層に設けられており、当該ＬｏｃａｌＥｖｅｎｔ−ＩＤは、例えば具体的に料理シーン（ある１つの番組の中の料理シーン）、旅行シーン等（ある１つの番組の中の旅行シーン）のように各種単位（番組シーン）に分けられる。また、Ｅｖｅｎｔ−ＩＤ又はＬｏｃａｌＥｖｅｎｔ−ＩＤには、必要に応じて付加情報が付加される。
【００４０】
この付加情報のファイル構造は、図６に示すように、番組（Ｅｖｅｎｔ−ＩＤ）及びその番組のタイトル名に対して、所定の番組シーン（ＬｏｃａｌＥｖｅｎｔ−ＩＤ）及びその番組シーンのタイトル名が設けられ、さらに所定の番組シーン（ＬｏｃａｌＥｖｅｎｔ−ＩＤ）及びその番組シーンのタイトル名に対して、カテゴリが設けられ、カテゴリに対して付加情報が付加される。
【００４１】
ＬｏｃａｌＥｖｅｎｔ−ＩＤ及びカテゴリは、ＸＭＬを用いてＥＰＧデータに記述されるため、必要に応じて１つの番組（Ｅｖｅｎｔ−ＩＤ）に対して複数付加し得るようになされている。
【００４２】
付加情報においては、単位情報である所定数の項目（属性）が予めテレビジョン放送局１０によって取り決められており、各種端末装置の種別を表すＴａｒｇｅｔ機器情報、付加情報が利用し得る期間を表す有効期限、ジャンル及び付加情報の情報提供広告主を表すスポンサーの各項目と、スポンサーのホームページのアクセス場所を示すＵＲＬ（Ｕｎｉｆｏｒｍ  Ｒｅｓｏｕｒｃｅ  Ｌｏｃａｔｏｒ）、スポンサーの電話番号を表すＴＥＬ、スポンサーの場所（位置情報：緯度、経度）を表す位置等のアクセス情報を記述するアクセス項目とからなる。
【００４３】
この付加情報は、ＸＭＬを用いてＥＰＧデータに記述されるため、予めテレビジョン放送局１０によって取り決められる各種項目に対して、必要に応じて新たな項目を付加、又は削除し得るようになされている。
【００４４】
さらに付加情報には、テレビジョン放送局１０、ＩＲＤ３及び各種端末装置との間にて定義される所定の情報識別子が設けられており、テレビジョン放送局１０、ＩＲＤ３及び各種端末装置は、当該情報識別子によって付加情報の各項目に記述された事柄を識別し得るようになされている。
【００４５】
付加情報の各項目のうちのＴａｒｇｅｔ機器情報は、アクセス項目に記述されたアクセス情報を扱い得る端末装置がどの端末装置であるかを表す識別コードからなり、当該アクセス情報に記述された項目に応じて、扱い得る端末装置の組み合わせを識別コードにて表すようになされている。すなわち、例えば付加情報の各項目のうち、「ＵＲＬ」の項目が記述された場合、Ｔａｒｇｅｔ機器情報の項目には、当該ＵＲＬを扱い得る端末装置がパーソナルコンピュータ、ＰＤＡ及び携帯電話であることを表す識別コードになされ、また付加情報の各項目のうち、「ＴＥＬ」の項目に記述された場合、Ｔａｒｇｅｔ機器情報の項目には、電話番号を扱い得る端末装置が携帯電話であることを表す識別コードになされる。
【００４６】
これにより、各端末装置（図１及び２：パーソナルコンピュータ６、携帯電話７、ＰＤＡ８及びナビゲーション装置９等）は、当該Ｔａｒｇｅｔ機器情報に基づいてアクセス項目を読み出すようになされている。
【００４７】
因みにカテゴリとは、ＬｏｃａｌＥｖｅｎｔ−ＩＤ（種別化した単位（番組シーン））のさらに下位概念である単位を示し、カテゴリは、具体的に例えばＬｏｃａｌＥｖｅｎｔ−ＩＤを「料理シーン」とした場合、料理シーン中の料理を関係を示す「料理」、料理シーン中の出演者の着衣関係を示す「服」等と記述される。
【００４８】
また、付加情報の項目の１つであるジャンルとは、カテゴリのさらに下位概念である単位を示し、具体的に例えばカテゴリを「服」とした場合、ジャンルは、スカート、ズボン、セータ等と記述される。
【００４９】
Ｅｖｅｎｔ−ＩＤ及びＬｏｃａｌＥｖｅｎｔ−ＩＤと付加情報の各項目との関係において、図７に示すように、Ｅｖｅｎｔ−ＩＤ及びＬｏｃａｌＥｖｅｎｔ−ＩＤは、テレビジョン放送局１０によって作成される番組数によって変化する可変部分である。
【００５０】
これに対して付加情報においては、テレビジョン放送局１０によって予め取り決められている各項目に情報提供広告主側が記述する部分であるため、当該各情報提供広告主にとっては不変部分となる。従って、可変部分は、テレビジョン放送局１０がユーザ（視聴者）に提供する情報であり、不変部分は、各情報提供広告主がユーザに提供する情報である。
【００５１】
さらにＥｖｅｎｔ−ＩＤ及びＬｏｃａｌＥｖｅｎｔ−ＩＤは、受信側であるＩＲＤ３にとって付加情報に対する識別子となされている。
【００５２】
かかる付加情報は、テレビジョン放送局１０と所定の課金処理を行った各情報提供広告主によって記述されるようになされており、旅行業者４はテレビジョン放送局１０と所定の課金処理を行った後、例えば旅行業者４の施設内に設置されるコンピュータ（図示せず）を使用して所定の通信手段によって接続処理を行うことにより、テレビジョン放送局１０内の付加情報管理サーバ１６に接続する（図２）。
【００５３】
この旅行業者４のコンピュータ（図示せず）は、ＣＰＵ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、通信網（図示せず）との間でデータを授受する通信インターフェイス、ハードディスクドライブ、液晶表示パネル等の表示部に対して表示しようとするデータに応じた文字や図形を記憶したＶＲＡＭ（Ｖｉｄｅｏ  ＲＡＭ）、及びキーボードやマウス等の入力部をユーザが操作することにより入力される信号をＣＰＵに伝える入力インターフェイス（ＩＮＦ）がそれぞれデータバスＢＵＳに接続されている。
【００５４】
ＣＰＵはＲＯＭに格納されている処理プログラムに従って種々の処理を実行するようになされており、当該処理に応じて各回路部を制御する。ＣＰＵはその各種処理内容を表示部に表示する。
【００５５】
この場合、図８に示すように、旅行業者４のコンピュータ（図示せず）は、入力部を介して所定の接続操作がなされると、入力インターフェイスは、接続操作を表すデータをＣＰＵに送出する。これによりＣＰＵは、通信インターフェイスを介して付加情報管理サーバ１６に対して発信を行い、通信路を確保したうえでセッションの確立を行う。そしてコンピュータ（図示せず）のＣＰＵは、予めテレビジョン放送局１０と所定の課金処理を行ったことによりハードディスクドライブに入手しているＥｖｅｎｔ−ＩＤ（例えば「ＤＲＧ７」とする）、ＬｏｃａｌＥｖｅｎｔ−ＩＤ（例えば「ＬＫＩＯ」とする）及びカテゴリ（料理とする）を読み出し、これを付加情報入手データＤ４０として付加情報管理サーバ１６に送信する。
【００５６】
付加情報管理サーバ１６は、各情報提供広告主によって記述されたそれぞれの付加情報をＥｖｅｎｔ−ＩＤ及びＬｏｃａｌＥｖｅｎｔ−ＩＤに基づいて管理するようになされており、図９に示すように、このとき旅行業者４から送信される付加情報入手データＤ４０を通信部１６Ａにおいて受信し、当該受信した付加情報入手データＤ４０をアプリケーション処理部１６Ｂに供給する。
【００５７】
アプリケーション処理部１６Ｂは、付加情報入手データＤ４０の内容であるＥｖｅｎｔ−ＩＤ「ＤＲＧ７」と、ＬｏｃａｌＥｖｅｎｔ−ＩＤ「ＬＫＩＯ」に基づいてＸＭＬにて記述された付加情報記入データＤ４１を生成し、これをメディア変換部１６Ｃに供給する。
【００５８】
メディア変換部１６Ｃは、付加情報記入データＤ４１を、このとき付加情報の入手要求のあったコンピュータ（旅行業者４）のデータ形式に準ずるように変換した付加情報記入データＤ４２を通信部１６Ａを介して旅行業者４のコンピュータ（図示せず）に送信する。
【００５９】
これにより旅行業者４のコンピュータ（図示せず）のＣＰＵは、例えば図１０に示すような付加情報記入画面を表示部に表示し、旅行業者４に対して記入を促す。
【００６０】
このとき表示される付加情報の各項目は、各情報提供広告主が希望する項目のみ記述し得るようになされていることにより、結果としてテレビジョン放送局１０は、それぞれの情報提供広告主に対して、それぞれ情報提供広告主の意図に応じた付加情報をユーザに提供し得ることになる。
【００６１】
従って旅行業者４は、例えば電話にはアクセスして欲しく無い場合、コンピュータ（図示せず）の入力部を介して有効期限の項目に「○○○○年、△月□日」、ジャンルの項目に「ハワイ」、スポンサーの項目に「××××会社」、ＵＲＬの項目に「ｈｔｔｐ：／／ｗｗｗ．％％％％％％％．ｎｅ．ｊｐ／」、位置の項目に「緯度☆☆・経度◇◇」等とそれぞれ記入し、電話の項目には記入せず、これを付加情報記入済データＤ４３としてコンピュータ（図示せず）のＣＰＵは、通信インターフェイスを介して付加情報管理サーバ１６に（図９）返信することになる。
【００６２】
ここで、付加情報記入画面において、Ｔａｒｇｅｔ機器情報の項目は、アクセス項目（ＵＲＬ、位置）が記述されたとき、当該記述されたアクセス項目に応じて、扱い得る端末装置の組み合わせを識別コードにて表す。つまり、Ｔａｒｇｅｔ機器情報の識別コードは、旅行業者４の意図（使用して欲しい各端末装置）を表していることになる。
【００６３】
付加情報管理サーバ１６は、旅行業者４のコンピュータ（図示せず）から供給された付加情報記入済データＤ４３に対して所定のセキュリティチェックを行った後、これをメディア変換部１６Ｃに送出する。メディア変換部１６Ｃは、各情報提供広告主から供給された付加情報記入済データＤ４３をＥＰＧデータに準じたＸＭＬに記述し直すようになされており、旅行業者４から供給された付加情報記入済データＤ４３の内容である付加情報のうち、このとき記述されなかった付加情報の項目（電話番号の項目）を省いてＥＰＧデータに準じたＸＭＬに記述し直すことにより、付加情報Ｄ４４を生成し、これをＥｖｅｎｔ−ＩＤ「ＤＲＧ７」、Ｌｏｃａｌ  Ｅｖｅｎｔ−ＩＤ「ＬＫＩＯ」のファイルとしてデータベース１６Ｄに格納する（図９）。
【００６４】
ここで、送信装置１５のＥＰＧ生成部２５（図３）は、例えば１週間分のＥＰＧデータを定期的に作成するようになされており、この場合ＥＰＧ生成部２５は、図１１に示すＥＰＧデータ生成処理手順を実行する。
【００６５】
すなわち、図１１においてＥＰＧ生成部２５は、ＥＰＧデータ生成処理手順ＲＴ１に入ると、ステップＳＰ１に移って、ＸＭＬ記述にて所定の数のＥｖｅｎｔ−ＩＤを生成し、ステップＳＰ２に移る。
【００６６】
ステップＳＰ２においてＥＰＧ生成部２５は、生成した所定の数（例えば１週間分のＥｖｅｎｔ−ＩＤ）の各Ｅｖｅｎｔ−ＩＤに対してＬｏｃａｌＥｖｅｎｔ−ＩＤを生成するか否かを判断する。ここで否定結果が得られると、このことは生成した所定の数（例えば１週間分のＥｖｅｎｔ−ＩＤ）の各Ｅｖｅｎｔ−ＩＤの全てにＬｏｃａｌＥｖｅｎｔ−ＩＤの付加を希望しないというテレビジョン放送局１０側の意思表示を表しており、このときＥＰＧ生成部２５は、ステップＳＰ４に移る。
【００６７】
これに対してステップＳＰ２において肯定結果が得られると、このことは生成した所定の数（例えば１週間分のＥｖｅｎｔ−ＩＤ）の各Ｅｖｅｎｔ−ＩＤの全て又はいづれかにＬｏｃａｌＥｖｅｎｔ−ＩＤの付加を希望するというテレビジョン放送局１０側の意思表示を表しており、このときＥＰＧ生成部２５は、続くステップＳＰ３に移る。
【００６８】
ステップＳＰ３においてＥＰＧ生成部２５は、テレビジョン放送局１０が所望するＥｖｅｎｔ−ＩＤに所定数のＬｏｃａｌＥｖｅｎｔ−ＩＤを付加し、さらに当該ＬｏｃａｌＥｖｅｎｔ−ＩＤに対して１つ又は複数のカテゴリを付加し、ステップＳＰ４に移る。
【００６９】
ステップＳＰ４においてＥＰＧ生成部２５は、Ｅｖｅｎｔ−ＩＤ又はＬｏｃａｌＥｖｅｎｔ−ＩＤのカテゴリに付加情報を付加するか否かを判断する。ここで否定結果が得られると、このことは生成したＥｖｅｎｔ−ＩＤに対応する付加情報、又はＬｏｃａｌＥｖｅｎｔ−ＩＤに対応する付加情報がない（テレビジョン放送局１０が生成した番組又は番組シーンに対して、各情報提供広告主による付加情報の提供がない）ことを表しており、このときＥＰＧ生成部２５は、ステップＳＰ６に移って、ＥＰＧデータ生成処理手順ＲＴ１を終了する。
【００７０】
これに対してステップＳＰ４において肯定結果が得られると、このことは生成したＥｖｅｎｔ−ＩＤに対応する付加情報、又はＬｏｃａｌＥｖｅｎｔ−ＩＤに対応する付加情報がある（テレビジョン放送局１０が生成した番組又は番組シーンに対して、各情報提供広告主による付加情報の提供がある）ことを表しており、このときＥＰＧ生成部２５は、続くステップＳＰ５に移る。
【００７１】
ステップＳＰ５においてＥＰＧ生成部２５は、Ｅｖｅｎｔ−ＩＤに対応する付加情報、又はＬｏｃａｌＥｖｅｎｔ−ＩＤに対応する付加情報を（付加情報管理サーバ１６のデータベース１６Ｄから読み出して）付加し、続くステップＳＰ６に移って、ＥＰＧデータ生成処理手順ＲＴ１を終了する。
【００７２】
このように、情報提供システムにおいて、テレビジョン放送局１０は、ＥＰＧデータへ付加するＬｏｃａｌＥｖｅｎｔ−ＩＤ及び付加情報の記述をＸＭＬにて行うようになされていることにより、図１２に示すように１つの番組（Ｅｖｅｎｔ−ＩＤ）に対して複数のＬｏｃａｌＥｖｅｎｔ−ＩＤ、さらには複数のカテゴリを付加することができ、また情報識別子により、付加した各種単位（カテゴリ）に対応する複数の付加情報を付加することができる（すなわちいくつものＬｏｃａｌＥｖｅｎｔ−ＩＤ、カテゴリ及び付加情報を付加し得る）。因みに図１３は、図１２において上述した付加情報の具体的なファイル記述例を示したものである。
【００７３】
このようしてＥＰＧ生成部２５によって生成されたＥＰＧデータＤ２５（旅行業者４が提供した付加情報も含まれているとする）は、テレビジョン放送局１０（図２）の送信装置１５（図３）内マルチプレクサ２３（図３）に出力される。
【００７４】
この場合マルチプレクサ２３（図３）は、ＥＰＧ生成部２５から供給されたＥＰＧデータＤ２５と、このとき音声エンコーダ２１から供給される音声符号化データと、映像エンコーダ２２から供給される映像符号化データとのそれぞれに対して時分割多重化処理を施すことによりビットストリームを生成し、当該ビットストリームにスクランブルをかけ、その結果得られた多重化データＤ３０を変調部２４に出力することになる。従って、結果として送信装置１５は、ＥＰＧデータが重畳されてなる放送波をＩＲＤ３に配信することとなる。
【００７５】
この場合、ＩＲＤ３（図４）のフロントエンド３０では、受信した放送波の中からＥＰＧデータが重畳されているチャンネルの放送波を抽出し、当該抽出したチャンネルの放送波を復調することにより多重化データＤ３０を生成し、これをデマルチプレクサ３１に送出する。
【００７６】
デマルチプレクサ３１は、多重化データＤ３０を一旦バッファ（図示せず）に記憶させ、当該記憶させた多重化データＤ３０を、予めＩＲＤ３が所有するデスクランブル用の鍵データを用いて送信装置（図３）で施されたスクランブルを解除した後、これを適宜に読み出すことにより、ＥＰＧデータＤ２５をバスＢＵＳを介してフラッシュメモリ４１に転送して記憶させる。
【００７７】
このようにしてＩＲＤ３（図４）は、フラッシュメモリ４１に記憶されているＥＰＧデータを定期的に更新し、常に最新のＥＰＧデータをフラッシュメモリ４１に蓄積しておくようになされている。
【００７８】
この状態において、ユーザは例えばテレビジョン装置１１のモニタ１２（図２）の表示画面を介して所望のテレビジョン番組（旅行番組とする）を目視しているとき、例えば当該番組で紹介されているホテルに行きたいと喚起する等、旅行に関する詳細な情報を知りたい場合、自ら所有するリムーバブルメディア５をＩＲＤ３に設けられているスロットに装着するようになされている。
【００７９】
このムーバブルメディア５は、図１４に示すように、各端末装置（ＩＲＤ３、パーソナルコンピュータ６、携帯電話７、ＰＤＡ８及びナビゲーション装置９）のスロットに装着するためのコネクタ５Ａと、当該コネクタ５Ａに対してバスＢＵＳを介して接続されたメモリ５Ｂとによって構成されている。
【００８０】
かかるリムーバブルメディア５がＩＲＤ３（図４）に装着されると、リムーバブルメディア５の検出用接点がＩＲＤ３内のリムーバブルメディアインターフェイス４３の接点と接続されることにより、インターフェイス処理部４４は、リムーバブルメディア検出用の信号レベルの変化（論理「Ｌ」レベルから論理「Ｈ」レベルの変化）を検出し、これによりＣＰＵ３６に対してインタラプト信号を送出することにより割り込み処理を行う。これによりＣＰＵ３６は、リムーバブルメディア５が装着されたことを検出する。
【００８１】
因みにインターフェイス処理部４４は、リムーバブルメディア５に対するデータの授受において、そのインターフェイス仕様に則ったプロトコル処理を行う処理ブロックである。これによりインターフェイス処理部４４は、リムーバブルメディア５にユーザ固有の情報となる付加情報を書き込み得る状態となる。
【００８２】
またリムーバブルメディアインターフェイス４３は、シリアルインターフェイスで構成され、少なくとも３本のデータ線を有する。第１のデータ線は、データ伝送時にクロック信号を伝送し、第２のデータ線は、データ伝送時に必要なステータス信号を伝送し、第３のデータ線は、リムーバブルメディア５に書き込み又は読み出すデータをシリアルに伝送する。
【００８３】
リムーバブルメディア５がＩＲＤ３のスロットに装着された（ＣＰＵ３６はリムーバブルメディア５が装着されたことを検出している）状態において、ユーザは、リモートコントローラ２９を用いて所定の付加情報取得操作を行うと、リモートコントローラ２９は当該操作に応じた命令信号Ｓ１を生成し、当該生成した命令信号Ｓ１を赤外線に重畳してＩＲＤ３に送信する。
【００８４】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【００８５】
これにより選択手段としてのＣＰＵ３６は、このときＩＲＤ３が選択している（ユーザがモニタに表示している）旅行番組に対応したＥｖｅｎｔ−ＩＤの下位階層に存在する全ての付加情報をフラッシュメモリ４１からＲＡＭ３９上に展開すると共に、ＲＯＭ３８に格納されている文字や記号等の辞書データもＲＡＭ３９上に展開し、当該ＲＡＭ３９上で辞書データを基にこのとき展開された付加情報に対してグラフィック処理を施すことにより、付加情報選択画面データＤ４５を生成し、これをグラフィックエンジン４０に送出する。
【００８６】
グラフィックエンジン４０は、付加情報選択画面データＤ４５に対してディジタルアナログ変換処理を施し、さらにはＮＴＳＣ方式の輝度信号及び色差信号に変換して付加情報選択画像信号Ｓ４６を生成し、これをＲＧＢエンコーダ３５に送出する。
【００８７】
ＲＧＢエンコーダ３５は、グラフィックエンジン４０から供給された付加情報選択画像信号Ｓ４６と、このとき映像デコーダ３３から供給される映像信号とを混合してテレビジョン装置１１（図２）に出力し、テレビジョン装置１１は当該付加情報選択画像信号Ｓ４６に応じた映像及び図１５に示すような付加情報選択画面をモニタ１２（図２）に表示し、ユーザに対して選択を促す。
【００８８】
ユーザは、このとき表示された付加情報選択画面に対して、リモートコントローラ２９を用いて、希望する番号（例えば旅行業者４が提供する付加情報に該当する番号とする）を入力し、所定の取得操作を行うと、リモートコントローラ２９は当該操作に応じた命令信号Ｓ１を生成し、当該生成した命令信号Ｓ１を赤外線に重畳してＩＲＤ３に送信する。
【００８９】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【００９０】
これにより選択手段としてのＣＰＵ３６は、このときＲＡＭ３９上に展開されている付加情報のうち、ユーザによって入力（選択）された番号に該当する付加情報をフィルタ部４２に送出する。
【００９１】
フィルタ部４２は、予めＩＲＤ３のフラッシュメモリ４１に登録されている登録情報に基づいて付加情報にフィルタをかける（書き換える又は削除する）ようになされている。
【００９２】
ここで、登録情報とは、ＩＲＤ３においてユーザが所持している各種端末装置を識別コードとして登録する情報であり、この識別コードは、ＩＲＤ３内のフラッシュメモリ４１に格納される。また識別コードは、付加情報の項目であるＴａｒｇｅｔ機器情報（図６）の識別コードと対応する組み合わせからなり、リムーバブルメディア５が装着されたとき、ＣＰＵ３６によって読み出される。
【００９３】
この登録情報の登録方法において、ユーザがＩＲＤ３を購入したとき、リモートコントローラを用いて所定の初期登録操作を行うと、ＣＰＵ３６は、例えば図１７に示すような登録画面を表示し、ユーザに対して登録を促す。これに対してユーザは、登録画面にリモートコントローラを用いて所定の登録操作を行って登録する。このとき登録される登録内容は、ＣＰＵ３６によって登録情報の識別コードに反映される。つまり、登録情報の識別コードは、ユーザが使用する端末装置の組み合わせを表していることになる。
【００９４】
因みに、ＩＲＤ３は、再度登録情報を書き換えるようにもなされている。この場合、例えばユーザが新たに端末装置を購入したとき、リモートコントローラを用いて所定の再登録操作を行うと、ＣＰＵ３６は再度、図１７に示すような登録画面を表示し、ユーザに対して再度登録を促す。これに対してユーザは、登録画面にリモートコントローラを用いて所定の登録操作を行って再度登録する。このとき登録される登録内容は、ＣＰＵ３６によって登録情報の識別コードに反映される。
【００９５】
ユーザによって入力（選択）された番号に該当する付加情報がＲＡＭ３９からフィルタ部４２に送出された状態において、記録手段としてのフィルタ部４２は、このときＲＡＭ３９から供給された付加情報のＴａｒｇｅｔ機器情報の識別コード（組み合わせ）と、登録情報（ユーザが所持している機器としてパーソナルコンピュータ６、携帯電話７、ＰＤＡ８及びナビゲーション装置９を表す識別コードとなっている）の識別コード（組み合わせ）との両方の組み合わせが一致する組み合わせとなるように当該Ｔａｒｇｅｔ機器情報の識別コードを書き換える。
【００９６】
つまり、フィルタ部４２は、情報提供広告主が使用して欲しい端末装置の組み合わせを表すＴａｒｇｅｔ機器情報の識別コードと、ユーザが使用する端末装置の組み合わせを表す登録情報の識別コードとの両方が一致する（情報提供広告主が使用して欲しい端末装置と、ユーザが使用する端末装置）組み合わせとなるようにＴａｒｇｅｔ機器情報を書き換えることにより、そのとき書き換えられたＴａｒｇｅｔ機器情報の識別コードは、情報提供広告主が使用して欲しい端末装置のうち、ユーザが使用し得る端末装置の組み合わせからなる。
【００９７】
すなわち、例えば付加情報のアクセス項目（例えば「ＵＲＬ」項目、「位置」項目）にアクセス情報（例えば「ｈｔｔｐ：／／ｗｗｗ．！！！！．ｃｏ．ｊｐ」、「Ｎ：３８°２４′１５″／Ｓ：１３８°２３′５３″」が記述されることにより、Ｔａｒｇｅｔ機器情報の識別コードに表されている扱い得る端末機器としてパーソナルコンピュータ及びナビゲーション装置（つまり、情報提供広告主が使用して欲しい端末装置としてパーソナルコンピュータ及びナビゲーション装置が表されている）となされ、登録情報の識別コードに表されている扱い得る端末機器としてパーソナルコンピュータのみ（つまり、ユーザが所持する端末装置がパーソナルコンピュータのみ）となされている場合、フィルタ部４２は、Ｔａｒｇｅｔ機器情報の識別コードを情報提供広告主が使用して欲しい端末装置のうち、ユーザが使用し得る端末装置の組み合わせ（つまり、パーソナルコンピュータ）に書き換える。
【００９８】
また、フィルタ部４２は、予めＩＲＤ３内のクロックに基づいて付加情報の有効期限に記述された期限が越えているか否かを判断しており、ＩＲＤ３内のクロックよりも当該有効期限に記述された期限が越えていた場合、その付加情報に対してフィルタをかける（削除する）ようにもなされている。
【００９９】
Ｔａｒｇｅｔ機器情報の識別コードが書き換えられた状態において、フィルタ部４２は、このときＲＡＭ３９から供給された付加情報をリムーバブルメディアインターフェイス４３及びコネクタ５Ａを介してリムーバブルメディア５のメモリ５Ｂに記憶させる。
【０１００】
ここで、リムーバブルメディア５が当該ＩＲＤ３のスロットに装着された状態において、ＩＲＤ３は、フラッシュメモリ４１に格納されているＥＰＧデータをＬｏｃａｌＥｖｅｎｔ−ＩＤ又は付加情報の項目毎に検索し、当該検索した付加情報のうち、ユーザが所望とする付加情報をリムーバブルメディア５のメモリ５Ｂに記憶させることもできる。
【０１０１】
この場合、ユーザがリモートコントローラ２９から例えば検索画面を表示させるための所定の操作を行うと、リモートコントローラ２９は当該操作に応じた命令信号Ｓ１を生成し、当該生成した命令信号Ｓ１を赤外線に重畳してＩＲＤ３に送信する。
【０１０２】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【０１０３】
これによりＣＰＵ３６は、このときＲＯＭ３８に格納されている検索プログラムに基づいてテレビジョン装置１１のモニタ１２に図１８に示すような検索指定画面を表示し、入力を促すようになされている。
【０１０４】
これに対して、ユーザはリモートコントローラ２９を用いて、キーワードとなる情報として例えば「ニュース及びドラマシーン」と入力し、所定の検索操作を行うと、リモートコントローラ２９は当該操作に応じた命令信号Ｓ１を生成し、当該生成した命令信号Ｓ１を赤外線に重畳してＩＲＤ３に送信する。
【０１０５】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【０１０６】
これにより選択手段としてのＣＰＵ３６は、このときフラッシュメモリ４１に格納されているＥＰＧデータの各種ＬｏｃａｌＥｖｅｎｔ−ＩＤのタイトル（図６）のうち、「ニュース及びドラマシーン」の文字が入力されている各付加情報をＲＡＭ３９上に展開すると共に、ＲＯＭ３８に格納されている文字や記号等の辞書データもＲＡＭ３９上に展開し、当該ＲＡＭ３９上で辞書データを基にこのとき展開された各付加情報に対してグラフィック処理を施すことにより、検索結果画面データＤ３５を生成し、これをグラフィックエンジン４０に送出する。
【０１０７】
グラフィックエンジン４０は、検索結果画面データＤ３５に対してディジタルアナログ変換処理を施し、さらにはＮＴＳＣ方式の輝度信号及び色差信号に変換して検索結果画像信号Ｓ３６を生成し、これをＲＧＢエンコーダ３５に送出する。
【０１０８】
ＲＧＢエンコーダ３５は、グラフィックエンジン４０から供給された検索結果画像信号Ｓ３６と、このとき映像デコーダ３３から供給される映像信号とを混合してテレビジョン装置１１（図２）に出力し、テレビジョン装置１１は当該検索結果画像信号Ｓ３１に応じた映像及び図１９に示すような検索結果画面をモニタ１２（図２）に表示する。
【０１０９】
このようにしてＩＲＤ３は、テレビジョン装置１１（図２）に対して「ニュース及びドラマシーン」がピックアップされた検索結果画面を表示させ、ユーザに対してリムーバブルメディア５のメモリ５Ｂに記憶させるための選択を促す。
【０１１０】
ユーザは、このとき表示された検索結果画面に対して、リモートコントローラ２９を用いて、希望する番号を入力し、所定の付加情報取得操作を行うと、リモートコントローラ２９は当該操作に応じた命令信号Ｓ１を生成し、当該生成した命令信号Ｓ１を赤外線に重畳してＩＲＤ３に送信する。
【０１１１】
ＩＲＤ３は、赤外線に重畳されて送信される命令信号Ｓ１を赤外線受信部２８において受信すると、当該赤外線受信部２８は受信した赤外線に対して光電変換を施すことにより、赤外線に重畳された命令信号Ｓ１を取り出し、これをＣＰＵ３６に送出する。
【０１１２】
これにより選択手段としてのＣＰＵ３６は、このときＲＡＭ３９上に展開されている付加情報のうち、ユーザによって入力（選択）された番号に該当する付加情報をフィルタ部４２に送出する。
【０１１３】
フィルタ部４２は、このときＲＡＭ３９から供給された付加情報のＴａｒｇｅｔ機器情報の識別コード（組み合わせ）と、登録情報（ユーザが所持している機器としてパーソナルコンピュータ６、携帯電話７、ＰＤＡ８及びナビゲーション装置９を表す識別コードとなっている）の識別コード（組み合わせ）との両方の組み合わせが一致する組み合わせとなるように当該Ｔａｒｇｅｔ機器情報の識別コードを書き換え、当該Ｔａｒｇｅｔ機器情報を書き換えた付加情報をリムーバブルメディアインターフェイス４３及びコネクタ５Ａを介してリムーバブルメディア５のメモリ５Ｂに記憶させる。
【０１１４】
一方、ユーザはリモートコントローラ２９を用いて、キーワードとなる情報として例えば付加情報の項目である「ＵＲＬ」と入力し、所定の検索操作を行うと、選択手段としてのＣＰＵ３６は、フラッシュメモリ４１に格納されているＥＰＧデータの各種付加情報のうち、ＵＲＬの項目を有する付加情報のみＲＡＭ３９上に展開し、「ニュース及びドラマシーン」を検索したときと同様にして、検索結果画面（図１９）をモニタ１２（図２）に表示し、ユーザに対してリムーバブルメディア５のメモリ５Ｂに記憶させるための選択を促す。さらにフィルタ部４２は、このときユーザが選択した項目の付加情報のＴａｒｇｅｔ機器情報の識別コードを書き換え、当該書き換えた付加情報をリムーバブルメディアインターフェイス４３及びコネクタ５Ａを介してリムーバブルメディア５のメモリ５Ｂに記憶させる。
【０１１５】
すなわち、リムーバブルメディア５がＩＲＤ３のスロットに装着されている状態においてユーザがリモートコントローラ２９を用いて所定の付加情報取得操作を行うと、図１６に示すようにＩＲＤ３のＣＰＵ３６は、付加情報記録処理手順ＲＴ２に入り、ステップＳＰ１１に移って、リモートコントローラ２９のキー操作に該当する全てのＬｏｃａｌＥｖｅｎｔ−ＩＤ及び付加情報をメモリ（フラッシュメモリ４１）から選択（抽出）し、ステップＳＰ１２に移る。
【０１１６】
ステップＳＰ１２においてＣＰＵ３６は、抽出した各付加情報の有効期限が過ぎているか否かを判断する。ここで否定結果が得られると、このことは選択（抽出）した全ての付加情報の有効期限が過ぎていないことを表しており、このときＣＰＵ３６は、ステップＳＰ１４に移る。
【０１１７】
これに対してステップＳＰ１２において肯定結果が得られると、このことは選択（抽出）した各付加情報の全て又はいづれかの有効期限が過ぎていることを表しており、このときＣＰＵ３６は、続くステップＳＰ１３に移る。
【０１１８】
ステップＳＰ１３においてＣＰＵ３６は、各付加情報のうち、有効期限が過ぎている付加情報を削除し、ステップＳＰ１４に移る。
【０１１９】
ステップＳＰ１４においてＣＰＵ３６は、選択（抽出）した付加情報をリムーバブルメディアに記憶させ、続くステップＳＰ１５に移って、付加情報記録処理手順ＲＴ２を終了する。
【０１２０】
このようにＩＲＤ３は、ＬｏｃａｌＥｖｅｎｔ−ＩＤ及び情報識別子がＥＰＧデータにＸＭＬにて記述されていることにより、種々の検索をすることができ、従ってユーザは情報量の多いＥＰＧデータの中から所望の付加情報を簡単にリムーバブルメディア５に記録させることができる。
【０１２１】
かかるリムーバブルメディア５のメモリ５Ｂに各付加情報が記録なされた後（旅行業者４が提供した付加情報も記録されたものとする）、ユーザは固有に所有するリムーバブルメディア５を端末装置（パーソナルコンピュータ６、携帯電話７、ＰＤＡ８又はネビゲーション装置９等）に装着することにより、リムーバブルメディア５が装着された端末装置は、リムーバブルメディア５に記録されている付加情報を読み出し、当該読み出した付加情報に基づいてそのとき装着された端末機器に特化（例えば携帯電話である場合には電話をかける、またナビゲーション装置である場合には位置を当該ナビゲーション装置の表示部に表示する等）した操作を行い得るようになされている。
【０１２２】
すなわち、第１の端末装置として、パーソナルコンピュータ６は、所定の接続処理を行ってインターネット（図示せず）にアクセスし得るようになされている。このパーソナルコンピュータ６は、図２０に示すように、ＣＰＵ６Ａ、ＲＡＭ（Ｒａｎｄｏｍ  Ａｃｃｅｓｓ  Ｍｅｍｏｒｙ）６Ｂ、ＲＯＭ（Ｒｅａｄ  Ｏｎｌｙ  Ｍｅｍｏｒｙ）６Ｃ、外部記憶手段であるリムーバブルメディア５との間でデータを授受するリムーバブルメディアインターフェイス（ＩＮＦ）６Ｄ、インターフェイス処理部６Ｊ、通信網（図示せず）との間でデータを授受する通信インターフェイス６Ｅ、液晶表示パネル等の表示部６Ｇに対して表示しようとするデータに応じた文字や図形を記憶したＶＲＡＭ（Ｖｉｄｅｏ  ＲＡＭ）６Ｆ、及びキーボードやマウス等の入力部６Ｈをユーザが操作することにより入力される信号をＣＰＵ６Ａに伝える入力インターフェイス（ＩＮＦ）６１がそれぞれデータバスＢＵＳに接続されている。
【０１２３】
ＣＰＵ６ＡはＲＯＭ６Ｃに格納されている処理プログラムに従って種々の処理を実行するようになされており、当該処理に応じて各回路部を制御する。ＣＰＵ６Ａはその各種処理内容を表示部６Ｇに表示する。
【０１２４】
ここで、ユーザが旅行業者４に関する情報を調べることを希望してリムーバブルメディア５をリムーバブルメディア用スロットを有するリムーバブルメディアインターフェイス６Ｄに装着すると、リムーバブルメディア５の検出用接点がリムーバブルメディアインターフェイス６Ｄの接点と接続することにより、インターフェイス処理部６Ｊはリムーバブルメディア検出用の信号レベルの変化（論理「Ｌ」レベルから論理「Ｈ」レベルへの変化）を検出し、ＣＰＵ６Ａに対してインタラプト信号を送出することにり割り込み処理を行う。
【０１２５】
これによりＣＰＵ６Ａはリムーバブルメディア５が接続されたことを検出する。因みにインターフェイス処理部６Ｊはリムーバブルメディア５に対するデータの授受においてそのインターフェイス仕様に則ったプロトコル処理を行う処理ブロックである。これによりインターフェイス処理部６Ｊは、リムーバブルメディア５に対してデータの読み出しを行い得る状態となる。
【０１２６】
因みに、リムーバブルメディアインターフェイス６Ｄは、シリアルインターフェイスで構成され、少なくとも３本のデータ線を有する。第１のデータ線はデータ伝送時にクロック信号を伝送し、第２のデータ線はデータ伝送時に必要なステータス信号を伝送し、第３のデータ線はリムーバブルメディア５に書き込み又は読み出すデータをシリアルに伝送する。
【０１２７】
インターフェイス処理部６Ｊがリムーバブルメディア５に対してデータの読み出しを行い得る状態において、ＣＰＵ６はリムーバブルメディア５のメモリ５Ｂに記録されている付加情報のＴａｒｇｅｔ機器情報に基づいて、当該パーソナルコンピュータ６が使用し得る各付加情報のアクセス項目（例えば「ＵＲＬ」）及び当該各付加情報に対応するＬｏｃａｌＥｖｅｎｔ−ＩＤのタイトル（すなわち番組シーンのタイトル名）のみをそれぞれ読み出し、これらをＶＲＡ（Ｖｉｄｅｏ  ＲＡＭ）６Ｆを介して表示部６Ｇに一覧表示し、選択を促す。
【０１２８】
この一覧表示に対して、ユーザが旅行業者４のＵＲＬを入力部６Ｈを介して選択すると、その旨を入力インターフェイス（ＩＮＦ）６ＩがＣＰＵ６Ａに伝える。
【０１２９】
これによりＣＰＵ６Ａは、ユーザが入力部を介して選択したＵＲＬをリムーバブルメディア５のメモリ５Ｂから読み出し、これをＲＡＭ６Ｂ上に展開することにより、インターフェイス処理部６Ｊ及び通信インターフェイス６Ｅを介して当該ＵＲＬに該当するホームページにアクセスする。
【０１３０】
これにより付加情報としてＵＲＬを提供した旅行業者４が作成したホームページは、パーソナルコンピュータ６の表示部６Ｇに表示され、これによりユーザは、旅行業者４に関する詳細情報を得ることができる。
【０１３１】
この状態のとき、ユーザがホームページに掲載されているホテルに喚起して予約を希望する場合、パーソナルコンピュータ６は、当該ホームページを提供するＵＲＬを提供した旅行業者４のコンピュータ（図示せず）と所定の課金処理を行うことにより、ホテルの予約も行うことができる。
【０１３２】
このように、ＩＲＤ３は、登録情報の識別コードとＴａｒｇｅｔ情報の識別コードに基づいてフィルタをかける（書き換える）ようになされていることにより、パーソナルコンピュータ６は、Ｔａｒｇｅｔ情報の識別コードに基づいて扱い得る付加情報の各項目（ＵＲＬ）と、当該各付加情報に対応するＬｏｃａｌＥｖｅｎｔ−ＩＤのタイトル（すなわち番組シーンのタイトル名）のみを読み出すことができ、これによりパーソナルコンピュータ６は当該読み出した付加情報の各項目（ＵＲＬ）と、当該各付加情報に対応するＬｏｃａｌＥｖｅｎｔ−ＩＤのタイトルとの一覧を表示部６Ｇに表示する。
【０１３３】
かくして、ユーザはリムーバブルメディア５をパーソナルコンピュータ６に装着するだけで、当該パーソナルコンピュータ６にて扱い得る情報のみが選択肢として選択し易く表示部６Ｇに表示されるため、選択肢から所望のＵＲＬを選択するだけで、当該ＵＲＬを提供した情報提供広告主に関する詳細情報を得ることができる。またユーザは、ＵＲＬを提供した情報提供広告主に関する詳細情報（ホームページ）に基づいて所定の課金操作を行うことにより、予約や商品購入等も行うことができる。
【０１３４】
また第２の端末装置として、携帯電話７は、図２１に示すように、ＣＰＵ７Ａ、メモリ７Ｂ、リムーバブルメディアインターフェイス（ＩＮＦ）７Ｃ、インターフェイス処理部７Ｎ、電話回線（図示せず）との間で信号の送受信を行う送受信回路（ＲＦ）７Ｅ、送受信回路部７Ｅにおいて受信したＲＦ（Ｒａｄｉｏ  Ｆｒｅｑｕｅｎｃｙ）信号をベースバンド信号に変換すると共に送信しようとするベースバンド信号をＲＦ信号に変換するベースバンド処理部７Ｄ、マイクロホン７Ｇ及びスピーカ７ＨとのインターフェイスであるＭＭＩ（Ｍａｎ  Ｍａｃｈｉｎｅ  Ｉｎｔｅｒｆａｃｅ）部７Ｆ、液晶表示パネル等の表示部７Ｉに対して表示しようとするデータに応じた文字や図形を記憶したＶＲＡＭ７Ｋ、及び入力部７ＪがデータバスＢＵＳに接続された構成を有する。
【０１３５】
ＣＰＵ７Ａはメモリ７Ｂに格納されている処理プログラムに従って種々の処理を実行するようになされており、当該処理に応じて各回路部を制御する。ＣＰＵ７Ａの各種処理内容は必要に応じて液晶パネルで等で構成された表示部７Ｉに表示される。
【０１３６】
入力部７Ｊは、ユーザ所望の通話先の電話番号が入力されると、当該電話番号を表すデータをＣＰＵ７Ａに供給する。これによりＣＰＵ７Ａはユーザが入力した電話番号で表される通話先に対して、送受信回路部７Ｅを介して接続要求を送信する。このとき電話回線（図示せず）は通話先の応答に応じて回線を接続する。回線が接続されると、送受信回路部７Ｅは、アンテナ（図示せず）を介して受信した通話先からのＲＦ信号をベースバンド信号に変換する。ベースバンド処理部７Ｄは当該変換されてなるベースバンド信号Ｓ７ＦをＭＭＩ部７Ｆに供給することにより、受信された通話先からの音声信号をスピーカ７Ｈから音声として出力する。
【０１３７】
また、ユーザがマイクロホン７Ｇを介して音声を入力すると、ＭＭＩ部７Ｆはマイクロホン７Ｇから供給される入力音声信号をベースバンド処理部７Ｄに供給し、ここでベースバンド信号をＲＦ信号に変換する。そして、ベースバンド処理部７Ｄは当該変換されてなるＲＦ信号を送受信回路部７Ｅを介して電話回線（図示せず）に送出することにより、当該ＲＦ信号を回線接続された通話先に送信する。かくして携帯電話７を使用するユーザは、通話先との間で会話や種々の情報の授受を行うことができる。
【０１３８】
ここで、ユーザがリムーバブルメディア５に記憶させたドラマに関する付加情報を用いてドラマの出演者の着衣の購入を希望して当該リムーバブルメディア５を携帯電話７のリムーバブルメディア用スロットを有するリムーバブルメディアインターフェイス７Ｃに接続すると、リムーバブルメディア５の検出用接点がリムーバブルメディアインターフェイス７Ｃの接点と接続されることにより、インターフェイス処理部７Ｎはリムーバブルメディア検出用の信号レベルの変化（論理「Ｌ」レベルから論理「Ｈ」レベルへの変化）を検出し、これによりＣＰＵ７Ａ対してインタラプト信号を送出することにより割り込み処理を行う。
【０１３９】
これによりＣＰＵ７Ａはリムーバブルメディア５が接続されたことを検出する。因にインターフェイス処理部７Ｎはリムーバブルメディア５に対するデータの授受においてそのインターフェイス仕様に則ったプロトコル処理を行う処理ブロックである。これによりインターフェイス処理部７Ｎは、リムーバブルメディア５に記録されている付加情報を読み出し得る状態となる。
【０１４０】
インターフェイス処理部７Ｎがリムーバブルメディア５に対してデータの書き込み又は読み出しを行い得る状態において、ＣＰＵ７Ａはインターフェイス処理部７Ｎ及びリムーバブルメディア５のコネクタ５Ａを介してメモリ５Ｂに記録されている付加情報のＴａｒｇｅｔ機器情報に基づいて、当該携帯電話７が使用し得る各付加情報のアクセス項目（「ＴＥＬ」）及び当該各付加情報に対応するＬｏｃａｌＥｖｅｎｔ−ＩＤのタイトル（すなわち番組シーンのタイトル名）のみをそれぞれ読み出し、これらをＶＲＡＭ７Ｋを介して表示部７Ｉに一覧表示し、選択を促す。
【０１４１】
この一覧表示に対して、ユーザが所望の電話番号を入力部７Ｊを介して選択すると、その旨をバスＢＵＳを介してＣＰＵ６Ａに伝える。
【０１４２】
これにより、ＣＰＵ７Ａはユーザが入力した電話番号で表される通話先に対して、送受信回路部７Ｅを介して接続要求を送信する。このとき電話回線（図示せず）は通話先の応答に応じて回線を接続する。これにより、ユーザは付加情報を提供した情報提供広告主に対して服に関する詳細な情報を直接聞くことができる。
【０１４３】
このように、ＩＲＤ３は、登録情報の識別コードとＴａｒｇｅｔ情報の識別コードに基づいてフィルタをかける（書き換える）ようになされていることにより、携帯電話７は、扱い得る付加情報の各項目（ＴＥＬ）及び当該各付加情報に対応するＬｏｃａｌＥｖｅｎｔ−ＩＤのタイトルのみを読み出すことができ、これにより携帯電話７は当該読み出した付加情報の各項目（ＴＥＬ）及び当該各付加情報に対応するＬｏｃａｌＥｖｅｎｔ−ＩＤのタイトルの一覧を表示部６Ｇに表示する。
【０１４４】
かくして、ユーザはリムーバブルメディア５を携帯電話７に装着するだけで、当該携帯電話７にて扱い得る情報のみが選択肢として選択し易く表示部６Ｇに表示されるため、選択肢から所望の電話番号を選択するだけで、当該電話番号を提供した情報提供広告主に直接詳細情報を聞くことができる。
【０１４５】
また第３の端末装置として、ＰＤＡ８は、所定の接続処理を行ってインターネット（図示せず）にアクセスし得るようになされている。このＰＤＡ８は、図２２に示すように、ＣＰＵ８Ａ、ＲＡＭ８Ｂ、ＲＯＭ８Ｃ、外部記憶手段であるリムーバブルメディア５との間でデータを授受するリムーバブルメディアインターフェイス（ＩＮＦ）８Ｄ、インターフェイス処理部８Ｊ、通信網（図示せず）との間でデータを授受する通信インターフェイス８Ｅ、液晶表示パネル等の表示部８Ｇに対して表示しようとするデータに応じた文字や図形を記憶したＶＲＡＭ８Ｆ、及びキーボードやマウス等の入力部８Ｈをユーザが操作することにより入力される信号をＣＰＵ８Ａに伝える入力インターフェイス（ＩＮＦ）８ＩがそれぞれデータバスＢＵＳに接続されている。
【０１４６】
ＣＰＵ８ＡはＲＯＭ８Ｃに格納されている処理プログラムに従って種々の処理を実行するようになされており、当該処理に応じて各回路部を制御する。ＣＰＵ８Ａはその各種処理内容を表示部８Ｇに表示する。
【０１４７】
ここで、ユーザがリムーバブルメディア５をリムーバブルメディア用スロットを有するリムーバブルメディアインターフェイス８Ｄに挿入すると、リムーバブルメディア５の検出用接点がリムーバブルメディアインターフェイス８Ｄの接点と接続することにより、インターフェイス処理部８Ｊはリムーバブルメディア検出用の信号レベルの変化（論理「Ｌ」レベルから論理「Ｈ」レベルへの変化）を検出し、ＣＰＵ８Ａに対してインタラプト信号を送出することにり割り込み処理を行う。
【０１４８】
これによりＣＰＵ８Ａはリムーバブルメディア５が接続されたことを検出する。因みにインターフェイス処理部８Ｊはリムーバブルメディア５に対するデータの授受においてそのインターフェイス仕様に則ったプロトコル処理を行う処理ブロックである。これによりインターフェイス処理部８Ｊは、リムーバブルメディア５に対してデータの読み出しを行い得る状態となる。
【０１４９】
この場合、パーソナルコンピュータ６と同様に、ＰＤＡ８は使用し得る各付加情報のアクセス項目（例えば「ＵＲＬ」）及び当該各付加情報に対応するＬｏｃａｌＥｖｅｎｔ−ＩＤのタイトル（すなわち番組シーンのタイトル名）のみをそれぞれ読み出し、これらをＶＲＡ（Ｖｉｄｅｏ  ＲＡＭ）６Ｆを介して表示部６Ｇに一覧表示する。かくして、ユーザはリムーバブルメディア５をＰＤＡ８に装着するだけで、当該ＰＤＡ８にて扱い得る情報（ＵＲＬ）のみが選択肢として選択し易く表示部８Ｇに表示されるため、選択肢から所望のＵＲＬを選択するだけで、当該ＵＲＬを提供した情報提供広告主に関する詳細情報を得ることができる。
【０１５０】
またＰＤＡ８は、当該ＰＤＡの１つの特徴として携帯型の情報端末装置である。これによりユーザは、ＰＤＡ８をパーソナルコンピュータ６と比べると、手軽に運搬し得る。これによりユーザは、希望する時間、又は希望する場所でリムーバブルメディア５に記録した例えばニュースの記事に関する情報を調べることができる。
【０１５１】
また第４の端末装置として、ナビゲーション装置９は、図２３に示すように、ＣＰＵ９Ａ、ＲＡＭ９Ｂ、ＲＯＭ９Ｃ、外部記憶手段であるリムーバブルメディア５との間でデータを授受するリムーバブルメディアインターフェイス（ＩＮＦ）９Ｄ、インターフェイス処理部９Ｊ、ナビゲーション装置９が搭載された自動車の位置等の演算に必要な各種情報を生成する測位情報検出部９Ｅと授受を行うインターフェイス９Ｆ、液晶表示パネル等の表示部９Ｈに対して表示しようとするデータを生成するようになされたグラフィックコントローラ９Ｇ、及び入力部９Ｉ、測位情報検出部９Ｅからの所定のデータに基づいてデータ再生部９Ｋを制御して音声信号Ｓ９Ｍを生成する音声制御部９ＭがそれぞれデータバスＢＵＳに接続されている。
【０１５２】
ＣＰＵ９ＡはＲＯＭ９Ｃに格納されている処理プログラムに従って種々の処理を実行するようになされており、当該処理に応じて各回路部を制御する。ＣＰＵ９Ａはその各種処理内容をＶＲＡＭ９Ｇを介して表示部９Ｈに表示すると共に、必要に応じて音声制御部９Ｍにおいて生成される音声信号Ｓ９Ｍによってスピーカ（図示せず）から音声を出力する。
【０１５３】
ユーザが入力部９Ｉを介して電源を投入する所定の操作を行うと、測位情報検出部９Ｅは、進行方位検出部９Ｎにおいて地磁気を検出して得られた方位情報信号Ｓ９Ｎ、角速度検出部９Ｐにおいて自動車の角速度を検出して得られた角速度情報信号Ｓ９Ｐ、走行距離検出部９Ｑにおいて自動車の走行距離を検出して得られた走行距離情報信号Ｓ９Ｑ、ＧＰＳ受信部９Ｒにおいて複数のＧＰＳ衛星（図示せず）から得られる電波をアンテナ９Ｕを介して受信し、当該受信して得られた測位情報信号Ｓ９Ｒ、及び車速度検出部９Ｔにおいて自動車の速度を検出して得られた速度情報信号Ｓ９Ｔ、交通情報受信部９Ｖにおいて道路交通通信局（図示せず）から得られる電波を常時アンテナ９Ｌを介して受信し、渋滞等の交通情報でなる交通情報信号Ｓ９Ｖをそれぞれインターフエイス９Ｆに送出する。
【０１５４】
インターフエイス９Ｆは、入力された各信号（方位情報信号Ｓ９Ｎ、角速度情報信号Ｓ９Ｐ、走行距離情報信号Ｓ９Ｑ、測位情報信号Ｓ９Ｒ、速度情報信号Ｓ９Ｔ及び交通情報信号Ｓ９Ｖ）をそれぞれディジタル変換処理を施すことにより、方位情報データＤ９Ｎ、角速度情報データＤ９Ｐ、走行距離情報データＤ９Ｑ、測位情報データＤ９Ｒ、速度情報データＤ９Ｔ及び交通情報データＤ９Ｖをそれぞれ生成し、これらをバスＢＵＳを介してＣＰＵ９Ａに送出する。
【０１５５】
ＣＰＵ９Ａは、ＲＯＭ９Ｃに予め記憶保持された所定のプログラムを読み出し、当該読み出したプログラムに基づいて方位情報データＤ９Ｎ、角速度情報データＤ９Ｐ、走行距離情報データＤ９Ｑ、測位情報データＤ９Ｒ及び速度情報データＤ９Ｔに対して所定の演算処理を実行し、この結果現時点の自動車の位置（緯度、経度等）、出発地（又はナビゲーシヨン装置９の起動）から現時点までの自動車の移動量、自動車の速度及び自動車の進行方位等を算出し得るようになされており、これらを自動車測位データＤ９Ｚとしてグラフィックコントローラ９Ｇに送出する。
【０１５６】
ここでデータ再生部９Ｋは、例えばデイジタルデータの形式で地図情報が記録されたＣＤ−ＲＯＭが予め装填されており、ＣＰＵ９Ａの制御のもとにＣＤ−ＲＯＭを再生して、上述した演算により算出された自動車の位置を含む所定範囲の地図情報を地図情報データＤ９Ｙとしてグラフイツクコントローラ９Ｇに送出する。
【０１５７】
グラフイツクコントローラ９Ｇは、表示部９Ｈの画面に道路や交差点等からなる地図を表示し得るように地図情報データＤ９Ｙからフレーム単位の映像データを生成すると共に、自動車測位データＤ９Ｚに基づいて自動車の位置及び進行方位を表す自動車位置データを生成し、これらを合成して得られた表示データＤ９Ｘを表示部９Ｈに送出する。
【０１５８】
これにより表示部９Ｈは、画面に地図を表示すると共に、当該地図に自動車の位置及び進行方位を表すマークを重ねて表示する。かくしてカーナビゲーシヨン装置９を目視するユーザは、現時点の自動車の位置及び当該自動車の進行方位を視覚的に認識することができる。
【０１５９】
また、ユーザが入力部９Ｉを介して所定の目的地までの経路を探索するための所定の操作をすると、ＣＰＵ９ＡはＲＯＭ９Ｃから経路探索プログラムを読み出し、当該プログラムをＲＡＭ９Ｂ上に展開することにより、経路探索モードとなる。
【０１６０】
この状態において、ＣＰＵ９Ａはデータ再生部９Ｋを制御してＣＤ−ＲＯＭを再生させ、当該ＣＤ−ＲＯＭから現時点の自動車の位置から目的地までを含む地図情報及び対応する道路情報を地図データＤ９Ｗから選択し、当該選択した地図情報及び対応する道路情報のうち、インターフェイス９Ｆから供給される交通情報データＤ９Ｖに基づいて、最短時間となる地図情報及び対応する道路情報を経路探索プログラムにより検索する。
【０１６１】
そしてＣＰＵ９Ａは、検索した地図情報及び対応する道路情報と、自動車測位データＤ９Ｚに基づいて自動車の位置及び進行方位を表す自動車位置データとをグラフィックコントローラに送出し、グラフィックコントローラは地図情報及び対応する道路情報と、自動車位置データとを合成して表示部９Ｈに送出する。かくしてカーナビゲーシヨン装置９を目視するユーザは、所定の目的地までの経路を探索することができる。
【０１６２】
さらに音声制御回路９Ｍは、方位変更データ（自動車が進行方位を変更する必要性をＣＰＵ９Ａが判断したときに生成される）に基づいてデータ再生部９Ｍを制御してＣＤ−ＲＯＭを再生させ、当該ＣＤ−ＲＯＭに予め記録された各種音声情報のうち、方位変更データに応じた音声情報を読み出す。これにより音声制御回路２５は、右折や左折等の告知音を表す音声信号Ｓ１０を生成し、これをスピーカ２７に送出する。スピーカ２７は、音声信号Ｓ１０に応じた告知音を出力する。かくして自動車を運転するユーザは、目的地までの経路に沿つて自動車が走行している間に当該自動車が進行方位を変更する必要があるとき、これに先立つて告知音が出力されることにより、自動車の進行方位の変更を聴覚的に認識することができる。
【０１６３】
ここで、ユーザが例えば第１の端末装置であるパーソナルコンピュータ６を用いてホテルの予約をした当該ホテルの位置を調べることを希望してリムーバブルメディア５をリムーバブルメディア用スロットを有するリムーバブルメディアインターフェイス９Ｄに挿入すると、リムーバブルメディア５の検出用接点がリムーバブルメディアインターフェイス９Ｄの接点と接続することにより、インターフェイス処理部９Ｊはリムーバブルメディア検出用の信号レベルの変化（論理「Ｌ」レベルから論理「Ｈ」レベルへの変化）を検出し、ＣＰＵ９Ａに対してインタラプト信号を送出することにり割り込み処理を行う。
【０１６４】
これによりＣＰＵ９Ａはリムーバブルメディア５が接続されたことを検出する。因みにインターフェイス処理部９Ｊはリムーバブルメディア５に対するデータの授受においてそのインターフェイス仕様に則ったプロトコル処理を行う処理ブロックである。これによりインターフェイス処理部９Ｊは、リムーバブルメディア５に対してデータの読み出しを行い得る状態となる。
【０１６５】
因みに、リムーバブルメディアインターフェイス９Ｄは、シリアルインターフェイスで構成され、少なくとも３本のデータ線を有する。第１のデータ線はデータ伝送時にクロック信号を伝送し、第２のデータ線はデータ伝送時に必要なステータス信号を伝送し、第３のデータ線はリムーバブルメディア５に書き込み又は読み出すデータをシリアルに伝送する。
【０１６６】
インターフェイス処理部９Ｊがリムーバブルメディア５に対してデータの書き込み又は読み出しを行い得る状態において、ＣＰＵ９Ａはインターフェイス処理部９Ｊ及びリムーバブルメディア５のコネクタ５Ａを介してメモリ５Ｂに記録されている付加情報のＴａｒｇｅｔ機器情報に基づいて、当該ナビゲーション装置９が使用し得る各付加情報のアクセス項目（「位置」）及び当該各付加情報に対応するＬｏｃａｌＥｖｅｎｔ−ＩＤのタイトル（すなわち番組シーンのタイトル名）のみをそれぞれ読み出し、当該読み出した各付加情報の項目をグラフィックコントローラ９Ｇを介して表示部９Ｈに一覧表示し、選択を促す。
【０１６７】
この一覧表示に対して、ユーザが第１の端末装置であるパーソナルコンピュータ６を用いてホテルの予約をした当該ホテルの位置（場所：緯度及び経度）を入力部９Ｉを介して選択すると、その旨をバスＢＵＳを介してＣＰＵ９Ａに伝える。
【０１６８】
これによりＣＰＵ９ＡはＲＯＭ９Ｃから経路探索プログラムを読み出すと共に、リムーバブルメディア５のメモリ５Ｂからユーザによって選択された位置情報（緯度及び経度）を読み出し、当該プログラム及び位置情報（緯度及び経度）をＲＡＭ９Ｂ上に展開することにより、経路探索モードとなる。
【０１６９】
この状態において、ＣＰＵ９Ａはデータ再生部９Ｋを制御してＣＤ−ＲＯＭを再生させ、位置情報（緯度及び経度）に基づいて当該ＣＤ−ＲＯＭから現時点の自動車の位置から目的地までを含む地図情報及び対応する道路情報を地図データＤ９Ｗから選択し、当該選択した地図情報及び対応する道路情報インターフェイス９Ｆから供給される交通情報データに基づいて、最短時間となる地図情報及び対応する道路情報を経路探索プログラムにより検索する。
【０１７０】
そしてＣＰＵ９Ａは、検索した地図情報及び対応する道路情報と、自動車測位データＤ９Ｚに基づいて自動車の位置及び進行方位を表す自動車位置データとをグラフィックコントローラに送出し、グラフィックコントローラは地図情報及び対応する道路情報と、自動車位置データとを合成して表示部９Ｈに送出する。かくしてナビゲーシヨン装置９を目視するユーザは、ホテルの目的地までの経路を探索することができる。
【０１７１】
このように、ＩＲＤ３は、登録情報の識別コードとＴａｒｇｅｔ情報の識別コードに基づいてフィルタをかける（書き換える）ようになされていることにより、ナビゲーシヨン装置９は、扱い得る付加情報の各項目（位置情報（経度及び緯度））及び当該各付加情報に対応するＬｏｃａｌＥｖｅｎｔ−ＩＤのタイトル（すなわち番組シーンのタイトル名）のみを読み出すことができ、これによりナビゲーシヨン装置９は当該読み出した付加情報の各項目（位置情報（経度及び緯度））及び当該各付加情報に対応するＬｏｃａｌＥｖｅｎｔ−ＩＤのタイトル（すなわち番組シーンのタイトル名）の一覧を表示部９Ｈに表示する。
【０１７２】
かくして、ユーザはリムーバブルメディア５をナビゲーシヨン装置９に装着するだけで、当該ナビゲーシヨン装置９にて扱い得る情報のみが選択肢として選択し易く表示部９Ｈに表示されるため、選択肢から所望の経度及び緯度を選択するだけで、当該経度及び緯度を提供した情報提供広告主の詳細な位置を確認及び探索することができる。
【０１７３】
このように、リムーバブルメディア５に記録される付加情報は、各端末装置に特化した詳細な情報そのものではなく、あくまでアクセス情報（トリガ）のみとなっており、これによりリムーバブルメディア５に記録する記録容量は一段と抑えることができる。またユーザは、所望の付加情報を固有に所持するリムーバブルメディア５にアクセス情報（トリガ）を記録すると、一段と多くの詳細な情報を取得し得る状態となっており、これによりユーザは、希望する時間、又は希望する場所で当該記録した付加情報に応じた端末装置にリムーバブルメディア５を装着することができ、この結果、各端末装置に特化した詳細な情報を取得することができる。
【０１７４】
以上の構成において、テレビジョン放送局１０は、所定期間分の各番組に対応したＥＰＧデータを定期的に配信するようになされており、ＩＲＤ３は、テレビジョン放送局１０から配信されるＥＰＧデータを受信し、これを所定のメモリ（フラッシュメモリ４１）に蓄積するようになされ、また定期的に更新して常に最新のＥＰＧデータを蓄積するようになされている。従つてＩＲＤ３は、視聴者が視聴する番組に対応したＥＰＧデータをいつでも読み出せる状態となっている。
【０１７５】
このＥＰＧデータは、ＸＭＬにて記述されていることにより、各番組に対して各種単位（番組シーン）毎に分けて付加し得るようになされ、さらにテレビジョン放送局１０、ＩＲＤ３及び各端末装置の間にて定義された情報識別子を用いることにより、各情報提供広告主から供給される付加情報を付加し得る。
【０１７６】
また付加情報もＸＭＬにて記述されているため、多岐の項目が設けられるようになされており、これによりＩＲＤ３は、各種単位（番組シーン）別、かつ項目別になされた多くの付加情報が付加されたＥＰＧデータを蓄積することとなる。
【０１７７】
ところでＩＲＤ３には、予めユーザ所有の各端末装置を表す識別コードが登録されており、また付加情報の項目には、アクセス情報を扱い得る端末装置を表す識別コードを含む。
【０１７８】
ここでＩＲＤ３のスロットにリムーバブルメディア５が装着された状態において、ユーザがＩＲＤ３に対して多くの付加情報のうち、所望の付加情報をリムーバブルメディア５に記録する所定の操作を行うと、ＩＲＤ３は、登録されている識別コードと、このときリムーバブルメディア５に記録する付加情報の識別コードとの両方が一致する組み合わせ（すなわち、アクセス情報を扱い得る端末装置のうち、ユーザが所有の端末装置）に当該付加情報の識別コードを書き換えて記憶させる。従つてＩＲＤ３は、リムーバブルメディア５に記憶される付加情報に対してユーザ所有の各端末装置のみ読み出し得る状態となる。
【０１７９】
またユーザは、所望の付加情報を固有に所持するリムーバブルメディア５にアクセス情報を一旦記録すると、詳細な情報を取得し得る状態となっており、これによりユーザは、希望する時間、又は希望する場所で当該記録した付加情報に応じた端末装置にリムーバブルメディア５を装着するだけで、リムーバブルメディア５が装着された端末装置は、特化した詳細な情報を取得することができる。
【０１８０】
さらにリムーバブルメディア５に記録される付加情報は、各端末装置に特化した詳細な情報そのものではなく、あくまでアクセス情報（トリガ）のみとなっており、これによりリムーバブルメディア５に記録する記録容量は一段と抑えることができる。
【０１８１】
このようにユーザ（視聴者）は、多くの情報（付加情報）から所望の情報（付加情報）を取得することができ、また固有に所持するリムーバブルメディアを希望する付加情報のみを記憶させることもでき、当該リムーバブルメディアをいくつも所持してリムーバブルメディア毎に特化した情報群を作成することもできる。従ってユーザは、テレビジョン放送局１０から供給される番組を一段と意欲的に目視する。この結果テレビジョン放送局１０は、視聴率が一段と向上すると共に、ユーザは、所望の情報（付加情報）に基づいて端末装置から得られた詳細な情報を取得することにより、購入意欲を喚起した物品等を購入する機会も多くなる。
【０１８２】
かくして、情報提供システムにおいては、流通経済の活発化に絶大なる効果をもたらす。
【０１８３】
以上の構成によれば、ＩＲＤ３に登録されている識別コードと、このときリムーバブルメディア５に記録する付加情報の識別コードとの両方が一致する組み合わせ（すなわち、アクセス情報を扱い得る端末装置のうち、ユーザが所有の端末装置）に当該付加情報の識別コードを書き換えて記憶させるようにしたことにより、リムーバブルメディア５に記憶される付加情報に対してユーザ所有の各端末装置のみが読み出し得る状態とすることができる。
【０１８４】
これによりユーザは、所望の付加情報を固有に所持するリムーバブルメディア５にアクセス情報を一旦記録すると、詳細な情報を取得し得る状態となっており、これによりユーザは、希望する時間、又は希望する場所で当該記録した付加情報に応じた端末装置にリムーバブルメディア５を装着するだけで、リムーバブルメディア５が装着された端末装置は、特化した詳細な情報を取得することができる。
【０１８５】
このようにユーザ（視聴者）は、多くの情報（付加情報）から所望の情報（付加情報）を取得することができ、また固有に所持するリムーバブルメディアを希望する付加情報のみを記憶させることもでき、当該リムーバブルメディアをいくつも所持してリムーバブルメディア毎に特化した情報群を作成することもできる。従ってユーザは、テレビジョン放送局１０から供給される番組を一段と意欲的に目視する。この結果テレビジョン放送局１０は、視聴率が一段と向上すると共に、ユーザは、所望の情報（付加情報）に基づいて端末装置から得られた詳細な情報を取得することにより、購入意欲を喚起した物品等を購入する機会も多くなる。
【０１８６】
かくして、情報提供システムにおいては、流通経済の活発化に絶大なる効果をもたらすと考えられる。
【０１８７】
（３）他の実施の形態
なお上述の実施の形態においては、ＥＰＧデータに付加情報を付加し、当該付加情報を付加したＥＰＧデータをマルチプレクサ２３で音声符号化データ及び映像符号化データと共に時分割多重化処理を施すことにより多重化データを生成し、これを変調して送信装置１５から放送波としてＩＲＤ３に送信する場合について述べたが、本発明はこれに限らず、付加情報を映像信号の垂直帰線消去期間に重畳させ、これを変調して送信装置から放送波としてＩＲＤに送信するようにしても良い。
【０１８８】
この場合、受信側の装置であるＩＲＤは、図４との対応部分に同一符号を付して示す図２４において、受信アンテナ（図示せず）によって受信した放送波の中からフロントエンド３０で付加情報が重畳されているチャンネルの放送波を抽出し、当該抽出したチャンネルの放送波を復調することにより映像信号Ｓ５０を生成してこれをＲＧＢエンコーダ３５及びＶＢＩ（Ｖｅｒｔｉｃａｌ  Ｂｌａｎｋｉｎｇ  Ｉｎｔｅｒｖａｌ）スライサ５０に送出する。
【０１８９】
ＶＢＩスライサ５０は、映像信号Ｓ５０から付加情報Ｄ５１を抽出し、これをＧＢエンコーダ３５に送出する。ＲＧＢエンコーダ３５は、ＶＢＩスライサ５０から供給された付加情報Ｄ５１をアナログ変換することにより、付加情報信号を生成し、当該生成した付加情報信号と、このときフロントエンド３０から供給される映像信号Ｓ５０とを混合した混合信号Ｓ５２をテレビジョン装置１１（図２）に出力し、テレビジョン装置１１は、この混合信号Ｓ５２に応じた映像及び図２５に示すようなアイコン８０付きの番組画面をモニタ１２に表示する。
【０１９０】
このように付加情報を映像信号の垂直帰線消去期間に重畳させ、これを変調して送信装置から放送波としてＩＲＤに送信するようにすれば、ユーザが視聴する番組の付加情報の有無をアイコン８０によって視覚的に認識させることができる。
【０１９１】
また上述の実施の形態においては、ＥＰＧデータに付加情報を付加し、当該付加情報を付加したＥＰＧデータをマルチプレクサ２３で音声符号化データ及び映像符号化データと共に時分割多重化処理を施すことにより多重化データを生成し、これを変調して送信装置から放送波としてＩＲＤ３に送信する場合について述べたが、本発明はこれに限らず、付加情報を電子透かし情報として映像信号又は音声信号に埋め込むようにしても良い。
【０１９２】
この場合、送信側の装置である送信装置１５（図３）においては、テレビジョン放送局１０にて作成されたテレビジョン番組の映像信号に付加情報を埋め込み、当該付加情報が埋め込まれた映像信号を変調部２４（図３）に送出するようになされた付加情報埋め込み部５８を設ける。
【０１９３】
付加情報埋め込み部５８は、図２６に示すように、端子５１を介して入力される映像信号Ｓ５１をＦＦＴ（Ｆａｓｔ  Ｆｏｕｒｉｅｒ  Ｔｒａｎｓｆｏｒｍａｔｉｏｎ）処理回路５３に受ける。ＦＦＴ処理回路５３は、映像信号Ｓ５１を時間領域から周波数領域に変換して周波数スペクトラムＳ５３を生成し、周波数スペクトラムＳ５３を可変フィルタ回路５５に出力する。
【０１９４】
また付加情報埋め込み部５８は端子５２を介して入力された付加情報（付加情報）Ｓ５２を乗算回路５４に受ける。乗算回路５４は、付加情報Ｓ５２に微小振幅のＰＮ（Ｐｓｅｕｄｏ  Ｎｏｉｓｅ：疑似ランダム雑音）系列信号Ｓ５７を乗じることで、付加情報Ｓ５２を広い周波数帯域にスペクトラム拡散した微小レベルの振幅の付加情報信号Ｓ５４を生成し、付加情報信号Ｓ５４を可変フィルタ回路５５に出力する。
【０１９５】
可変フィルタ回路５５は、周波数スペクトラムＳ５３に応じたフィルタ特性で付加情報信号Ｓ５４をフィルタ処理することにより付加情報信号Ｓ５５を生成し、これを加算回路５６に出力する。
【０１９６】
加算回路５６は、端子５１からの付加情報Ｓ５１と可変フィルタ回路５５からの付加情報信号Ｓ５５とを加算することにより、付加情報付き映像信号Ｓ３１を生成し、これを変調部２４（図３）に送出する。
【０１９７】
因みに、付加情報埋め込み部５８は、端子５１を介して入力される信号が音声信号であっても図２６において上述した場合と同様に処理するようになされている。
【０１９８】
一方、受信側の装置であるＩＲＤ３（図４）においては、付加情報を抽出し、当該抽出した付加情報をＲＧＢエンコーダ３５（図４）に送出するようになされた付加情報抽出部１０１を設ける。この場合、図２３に示すように、付加情報抽出部１０１には、受信アンテナ（図示せず）によって受信した放送波の中からフロントエンド３０で付加情報が重畳されているチャンネルの放送波を抽出し、当該抽出したチャンネルの放送波を復調することにより付加情報付き映像信号Ｓ７５が入力される。
【０１９９】
付加情報抽出部１０１は、入力される付加情報付き映像信号Ｓ７５をＦＦＴ処理部７０及び可変フィルタ７１に出力する。
【０２００】
ＦＦＴ処理回路７０は、付加情報付き映像信号Ｓ７５を時間領域から周波数領域に変換して周波数スペクトラムＳ７０を生成し、これを可変フィルタ７１に出力する。可変フィルタ７１は、周波数スペクトラムＳ７０に応じたフィルタ特性で、周波数スペクトラムＳ７０に含まれる付加情報Ｓ７１を抽出し、抽出された付加情報Ｓ７１を乗算回路７２に出力する。
【０２０１】
乗算回路７２は、付加情報Ｓ７１に送信側と同じＰＮ系列符号Ｓ５７を乗じることにより、ＰＮ系列符号が除去された元の付加情報Ｓ７２を生成し、これをＲＧＢエンコーダ３５（図４）に送出する。
【０２０２】
ＲＧＢエンコーダ３５は、付加情報抽出部１０１から供給された付加情報Ｓ７２をアナログ変換することにより、付加情報信号を生成し、当該生成した付加情報信号と、このときフロントエンド３０から供給される映像信号とを混合した混合信号をテレビジョン装置１１（図２）に出力し、テレビジョン装置１１は、この混合信号に応じた図２５に示すようなアイコン８０付きの番組画面をモニタ１２に表示する。
【０２０３】
このように付加情報を付加情報として映像信号又は音声信号に埋め込むようにすれば、受信側において、ユーザが視聴する番組の付加情報の有無をアイコン８０によって視覚的に認識させることができる。
【０２０４】
また上述の実施の形態においては、ＩＣメモリを内蔵したスティック状の携帯型記録媒体（リムーバブルメディア）を使用する場合について述べたが、本発明はこれに限らず、例えばＣＤ−Ｒ（Ｃｏｍｐａｃｔ  Ｄｉｓｋ  Ｒｅｃｏｒｄａｂｌｅ）やハードディスクドライブ等、種々の記録媒体、さらには種々の形状のものを使用するようにしても良い。要は、ユーザが固有に所持し得る記録媒体であれば、種々の形状の記録媒体を適用し得る。
【０２０５】
また上述の実施の形態においては、端末装置としてＩＲＤ３、パーソナルコンピュータ６、携帯電話７、ＰＤＡ８及びナビゲーション装置９にユーザが固有に所有するリムーバブルメディア５を装着する場合について述べたが、本発明はこれに限らず、例えばビデオテープレコーダ等、種々の端末装置に広く適用することができる。
【０２０６】
また上述の実施の形態においては、付加情報を記述する言語としてＸＭＬを用いる場合について述べたが、本発明はこれに限らず、例えばＳＧＭＬ（Ｓｙｎｃｈｒｏｎｉｚｅｄ  Ｍｕｌｔｉｍｅｄｉａ  Ｉｎｔｅｇｒａｔｉｏｎ  Ｌａｎｇｕａｇｅ）等、要は、可変長に記述し得る言語を広く適用することができる。
【０２０７】
また上述の実施の形態においては、テレビジョン放送局１０が放送波を配信する場合について述べたが、本発明はこれに限らず、例えばラジオ局等、他の種々の放送局、さらには種々の放送システム（例えば地上波放送等）に広く適用することができる。
【０２０８】
また上述の実施の形態においては、ＩＲＤ３がリムーバブルメディア５のメモリ５Ｂに記録する場合について述べたが、本発明はこれに限らず、例えばテレビジョン装置等、要は、放送波を受信し得る装置又は当該放送波を受信し得る装置と接続手段を介して接続される装置に適用することができる。
【０２０９】
さらに上述の実施の形態においては、ＥＰＧ生成部２５を送信装置１５に設ける場合について述べたが、本発明はこれに限らず、付加情報管理サーバ１６に設けるようにしても良い。この場合、上述の実施の形態と同様の効果を得ることができる。
【０２１０】
【発明の効果】
上述のように本発明によれば、情報送信側では、放送番組又は放送番組シーンに関する情報へのアクセス先を示す複数種類のアクセス情報を入力可能な項目を提示し、該項目に入力されるアクセス情報を、番組ガイド情報の対応する放送番組又は放送番組シーンに関連付けて配信する。一方、情報受信側では、ユーザに対して、取得希望のアクセス情報が関連付けられている放送番組又は放送番組シーンを選択させ、選択される放送番組又は放送番組シーンに関連付けられるアクセス情報を扱い可能な装置を示すコードを、ユーザによって登録された装置を示すコードとして生成し、当該コードと、複数種類のアクセス情報とをリムーバブルメディアに記憶させる。このようにすることにより、放送局の提供する情報を有効に利用し得る。
【図面の簡単な説明】
【図１】本発明による情報提供システムの全体構成を示すブロック図である。
【図２】本発明による情報提供システムのシステム例の全体構成を示すブロック図である。
【図３】送信装置の構成を示すブロック図である。
【図４】受信装置（ＩＲＤ）の構成を示すブロック図である。
【図５】ＥＰＧデータ構造を示す略線図である。
【図６】付加情報のファイル構造を示す略線図である。
【図７】Ｅｖｅｎｔ−ＩＤ及びＬｏｃａｌＥｖｅｎｔ−ＩＤと付加情報の各項目との関係を示す略線図である。
【図８】付加情報記入手順を示すシーケンスチャートである。
【図９】付加情報管理サーバの構成を示すブロック図である。
【図１０】付加情報記入画面の表示例を示す略線図である。
【図１１】ＥＰＧデータ生成処理手順を示すフローチャートである。
【図１２】ＥＰＧデータのファイル構造例を示す略線図である。
【図１３】ＥＰＧデータのファイル記述例を示す略線図である。
【図１４】リムーバブルメディアの構成を示すブロック図である。
【図１５】付加情報選択画面の表示例を示す略線図である。
【図１６】付加情報記録処理手順を示すフローチャートである。
【図１７】登録画面の表示例を示す略線図である。
【図１８】検索指定画面の表示例を示す略線図である。
【図１９】付加情報選択画面の表示例を示す略線図である。
【図２０】パーソナルコンピュータの構成を示すブロック図である。
【図２１】携帯電話の構成を示すブロック図である。
【図２２】ＰＤＡの構成を示すブロック図である。
【図２３】ナビゲーション装置の構成を示すブロック図である。
【図２４】ＩＲＤの構成を示すブロック図である。
【図２５】番組画面の表示例を示す略線図である。
【図２６】付加情報埋め込み部の構成を示すブロック図である。
【図２７】付加情報抽出部の構成を示すブロック図である。
【符号の説明】
１……情報提供システム、２……放送局、３……受信装置（ＩＲＤ）、４……情報提供広告主、５……リムーバブルメディア、５Ａ……コネクタ、５Ｂ……メモリ、６……パーソナルコンピュータ、６Ａ、７Ａ、８Ａ、９Ａ、３６……ＣＰＵ、６Ｄ、７Ｃ、８Ｄ、９Ｄ、４３……リムーバブルメディアインターフェイス、６Ｊ、７Ｎ、８Ｊ、９Ｊ、４４……インターフェイス処理部、７……携帯電話、８……ＰＤＡ、９……ナビゲーション装置、１１……テレビジョン装置、１５……送信装置、１６……付加情報管理サーバ、２３……マルチプレクサ、２５……ＥＰＧ生成部、３１……デマルチプレクサ、４１……フラッシュメモリ、５８……付加情報埋め込み部、１０１……付加情報抽出部。
【図１】
0004427698.tif 000002
【図２】
0004427698.tif 000003
【図３】
0004427698.tif 000004
【図４】
0004427698.tif 000005
【図５】
0004427698.tif 000006
【図７】
0004427698.tif 000007
【図１０】
0004427698.tif 000008
【図６】
0004427698.tif 000009
【図８】
0004427698.tif 000010
【図９】
0004427698.tif 000011
【図１１】
0004427698.tif 000012
【図１２】
0004427698.tif 000013
【図１３】
0004427698.tif 000014
【図１４】
0004427698.tif 000015
【図１６】
0004427698.tif 000016
【図１５】
0004427698.tif 000017
【図１７】
0004427698.tif 000018
【図１８】
0004427698.tif 000019
【図１９】
0004427698.tif 000020
【図２０】
0004427698.tif 000021
【図２１】
0004427698.tif 000022
【図２２】
0004427698.tif 000023
【図２５】
0004427698.tif 000024
【図２３】
0004427698.tif 000025
【図２４】
0004427698.tif 000026
【図２６】
0004427698.tif 000027
【図２７】
0004427698.tif 000028